(57)【特許請求の範囲】
【請求項１】
複数のローラインと複数のカラムラインとの交点に形成されたピクセルを複数備える液晶表示装置の前記カラムラインに所望の電圧を印加することにより前記ピクセルの電圧を制御して駆動するアクティブマトリクス方式を用いる液晶表示装置のカラム駆動装置において、
前記カラムライン毎にカラム駆動手段を備え、
前記カラム駆動手段は、
外部からの入力データに応じたアナログ信号を出力するデータ処理部と、
該データ処理部から出力されたアナログ信号を入力してピクセル駆動用アナログ電圧を生成する電圧生成部と、
前記電圧生成部からのピクセル駆動用アナログ電圧を入力する入力端子と、外部からの第１及び第２先駆動電圧が夫々印加される第１及び第２先駆動端子と、共通ラインに連結される電荷分配端子と、を備え、第１及び第２制御信号の制御により、前記電荷分配端子を前記共通ラインに連結して、活性化したローラインに連結されたピクセルの電圧を中間バイアス電圧にした後に、前記ピクセルの前の電圧極性に応じて、第１先駆動端子及び第２先駆動端子のいずれか一方を選択的に前記カラムラインに連結して、前記ピクセルに前記連結した第１先駆動端子及び第２先駆動端子のいずれか一方に応じた先駆動電圧を印加して先駆動させ、前記入力端子からのピクセル駆動用アナログ電圧を前記ピクセルに印加して駆動する制御部と、
を備えて構成されたことを特徴とする液晶表示装置のカラム駆動装置。
【請求項２】
前記第１先駆動電圧及び第２先駆動電圧は、前記ピクセル駆動用アナログ電圧印加後の前記ピクセルの正の極性電圧と前記中間バイアス電圧との間の任意の電圧、及び、前記ピクセル駆動用アナログ電圧印加後の前記ピクセルの負の極性電圧と前記中間バイアス電圧との間の任意の電圧のうちのいずれか一方及び他方であることを特徴とする請求項１に記載の液晶表示装置のカラム駆動装置。
【請求項３】
複数のローラインと複数のカラムラインとの交点に形成されたピクセルを複数備える液晶表示装置の前記カラムラインに所望の電圧を印加することにより前記ピクセルの電圧を制御して駆動するアクティブマトリクス方式を用いる液晶表示装置のカラム駆動方法において、
選択したカラムラインと活性化したローラインとの交点に連結する全てのピクセルを連結して各ピクセルの電荷分配を行い、各ピクセルの電圧を中間バイアス電圧とする第１過程と、
前記選択したカラムラインに連結したピクセルに、前の電圧極性に応じて、外部からの第１先駆動電圧及び第２先駆動電圧のいずれか一方を印加して先駆動する第２過程と、
前記先駆動したピクセルに、外部からの入力データに基づくピクセル駆動用アナログ電圧を印加して、前記ピクセルを駆動する第３過程と、
を順次行うことを特徴とする液晶表示装置のカラム駆動方法。
【請求項４】
前記各過程は、外部から入力する第１及び第２制御信号の論理レベルの組合せにより夫々制御されることを特徴とする請求項３に記載の液晶表示装置のカラム駆動方法。
【請求項５】
前記第１先駆動電圧及び第２先駆動電圧は、前記ピクセル駆動用アナログ電圧印加後の前記ピクセルの正の極性電圧と前記中間バイアス電圧との間の任意の電圧、及び、前記ピクセル駆動用アナログ電圧印加後の前記ピクセルの負の極性電圧と前記中間バイアス電圧との間の任意の電圧のうちのいずれか一方及び他方であることを特徴とする請求項３又は請求項４に記載の液晶表示装置のカラム駆動方法。
【発明の詳細な説明】
【０００１】
【発明の属する技術分野】
本発明は、薄膜トランジスタを用いた液晶表示装置のカラム駆動装置及びその駆動方法に関するものである。
【０００２】
【従来の技術】
一般のアクティブマトリクス方式による液晶表示装置（liquid crystal display；以下、ＬＣＤと称す）のうちの白黒ＬＣＤは、図３に示したように、典型的な白黒グレイスケール（gray-scale）の４８０（ローライン）×６４０（カラムライン）のマトリクスアレイ１と、該マトリクスアレイ１のローラインを駆動するロー駆動回路２〜４と、前記マトリクスアレイ１のカラムラインを駆動するカラム駆動回路１１〜２０と、を備えて構成されている。
【０００３】
典型的なカラーＬＣＤは、各画素を三原色で表示するので、６４０の３倍の１９２０本のカラムラインが必要である。以下、カラーＬＣＤの場合について説明する。
【０００４】
各カラムラインとローラインとの交差点には、夫々ピクセルが形成される。そして、各ピクセルのピクセルキャパシタには、カラムラインの駆動電圧を印加させるための薄膜トランジスタ（thin film transistor；以下、ＴＦＴと称す）がそれぞれ連結されている。
【０００５】
具体的には、図４に示したように、第１ローラインにはＭＯＳＴＦＴ３１1，３１2，・・・のゲート端子が連結され、第２ローラインにはＭＯＳＴＦＴ３２1，３２2，・・・のゲート端子が連結されて、第１カラムラインには前記ＭＯＳＴＦＴ３１1，３２1，・・・のドレイン端子が連結され、第２カラムラインには前記ＭＯＳＴＦＴ３１2，３２2，・・・のドレイン端子が夫々連結されて、ＭＯＳＴＦＴ３１1，３１2，・・・のソース端子にピクセルキャパシタ４１1，４１2，・・・が連結され、ＭＯＳＴＦＴ３２1，３２2，・・・のソース端子にピクセルキャパシタ４２1，４２2，・・・が連結される。
【０００６】
前記アクティブマトリクスＬＣＤの各リフレッシュ動作または表示周期の間は、前記ロー駆動回路２〜４により４８０本のローラインが駆動されて各ＭＯＳＴＦＴがイネーブルされ、各ピクセルキャパシタに貯蔵すべき駆動電圧を印加させる。
【０００７】
各ピクセルの明暗度（intensity）は、ピクセルキャパシタに夫々印加された駆動電圧により決定される。
前記カラム駆動回路１１〜２０は、カラーＬＣＤの１９２０本のカラムラインをそれぞれ１９２本（白黒ＬＣＤの場合は６４本）ずつ夫々駆動させる。
【０００８】
例えば、第１ローラインと第１，第２カラムラインとの交差点のピクセルがリフレッシュ又はアップデートされるときには、前記ＭＯＳＴＦＴ３１1，３１2をイネーブルさせるため、前記第１ローラインはハイレベルの電圧で活性化される。この場合、第１カラムラインに印加された駆動電圧は、所望の明暗を表すためのアナログ電圧であって、イネーブルされたＭＯＳＴＦＴ３１1を経てピクセルキャパシタ４１1に印加される。同様にして、第２カラムラインに印加された駆動電圧は、イネーブルされたＭＯＳＴＦＴ３１2を経てピクセルキャパシタ４１2に印加される。
【０００９】
この後、第１ローラインの電圧がローレベルになると、前記ＭＯＳＴＦＴ３１1，３１2はターンオフされ、前記ピクセルキャパシタ４１1，４１2に印加されたアナログ電圧は、次の表示周期でアップデートされるまで継続して維持される。
【００１０】
第２ローラインと第１，第２カラムラインとの交差点のピクセルについても、上述した動作と同様に動作する。
このようなＬＣＤの駆動動作において、カラムラインに印加される駆動電圧の極性の反転無しにローラインに印加される駆動電圧の極性の反転のみ行われるとすると、第１表示周期の第１ローラインが第１ロー駆動区間で選択される間は、第１，第２カラムラインを包含する全てのカラムラインに正の極性の電圧が夫々印加されるため、第１ローラインの各ピクセルのピクセルキャパシタは全て正の極性に充電される。その後、第２ロー駆動区間で第２ローラインが選択され、負の極性の電圧が全てのカラムラインに印加されて、第２ローラインに連結された各ピクセルのピクセルキャパシタは負の極性に充電される。
【００１１】
マトリクスアレイ１の他のローラインに対しても同様な動作が反復的に行われる。
このように、第１，第２ローラインは第１ロー駆動区間で選択され、第２ローラインは第２ロー駆動区間で選択され、最後に、第４８０ローラインが第４８０ロー駆動区間で選択されて第１表示周期が終了した後、次の第２表示周期が開始される。
【００１２】
次の第２表示周期の第１ロー駆動区間では、第１ローラインが再び選択される。このとき、負の極性の電圧が全てのカラムラインに印加されるため、第１ローラインに連結された各ピクセルキャパシタは負の極性に充電される。同様に、次の第２ロー駆動区間で第２ローラインが選択されると、正の極性の電圧が全てのカラムラインに夫々印加されて、第２ローラインに連結された各ピクセルキャパシタは正の極性に充電される。
【００１３】
従って、各ピクセルに印加された直流電圧は、中間バイアス電圧に平均化される。
このとき、前記カラム駆動回路１１により、例えば、第１表示周期の第１ロー駆動区間の間、第１カラムラインの電圧が＋６Ｖに設定されると、第２ロー駆動区間の間、第１カラムラインの電圧は−６Ｖに設定される。
【００１４】
即ち、前記カラム駆動回路１１からの駆動電圧は、第１，第２ロー駆動区間で、＋６Ｖ〜−６Ｖまで遷移される。このような駆動電圧の遷移は、第２〜第１９２０カラムライン（白黒ＬＣＤの場合には、第２〜第６４０カラムライン）においても、対応するカラム駆動回路１１〜２０によって行われる。
【００１５】
前記カラム駆動回路１１〜２０は、図５に示したように、共通ライン６０に連結され、共通ライン６０と接地電圧間に外部貯蔵キャパシタ６１が連結されて構成される。
【００１６】
例えば、カラム駆動回路１６は、図５に示したように、データ処理部５１1，５１2，・・・，５１192に貯蔵された第２，第４，・・・，第３８４カラムラインの１９２本のカラムラインを駆動させるアナログ電圧が、第２，第４，・・・，第３８４単位利得増幅器５４1，５４2，・・・，５４192に印加され、それら第２，第４，・・・，第３８４単位利得増幅器５４1，５４2，・・・，５４192の出力は、制御信号ＳＥＬＥＣＴに基づいて制御される第２，第４，・・・，第３８４マルチプレクサ５７1，５７2，・・・，５７192に入力されている。
【００１７】
前記第２，第４，・・・，第３８４マルチプレクサ５７1，５７2，・・・，５７192は、マトリクスアレイ１のカラムラインがそれぞれ連結されたカラム端子と、第２，第４，・・・，第３８４単位利得増幅器５４1，５４2，・・・，５４192の出力端子に連結された入力端子と、共通ライン６０を介して外部貯蔵キャパシタ６１に連結された共通端子と、制御信号ＳＥＬＥＣＴが入力される制御端子と、を備えている。
【００１８】
前記第２，第４，・・・，第３８４マルチプレクサ５７1，５７2，・・・，５７192は、制御信号ＳＥＬＥＣＴがハイレベルであると、共通端子にカラム端子を電気的に連結し、制御信号ＳＥＬＥＣＴがローレベルであると、入力端子にカラム端子を電気的に連結する。即ち、前記第２，第４，・・・，第３８４マルチプレクサ５７1，５７2，・・・，５７192は、制御信号ＳＥＬＥＣＴがハイレベルであるとき、各ロー駆動区間の開始時点で外部貯蔵キャパシタ６１にマトリクスアレイ１の各カラムラインを連結する。この場合、外部貯蔵キャパシタ６１の電圧値は、各ピクセルのピクセルキャパシタの電圧値にマトリクスアレイ１のカラムライン数を乗じた値より大きい値に設定される。
【００１９】
ここで、図６（Ｃ）に示した制御信号ＳＥＬＥＣＴがハイレベルの間、即ち、第１時点ｔ０から第２時点ｔ１間を第１領域と設定し、制御信号ＳＥＬＥＣＴがローレベルの間、即ち、第２時点ｔ１から第３時点ｔ２間を第２領域と設定すると、各ロー駆動区間の第１領域の間は、ピクセルキャパシタに貯蔵された電荷は外部貯蔵キャパシタ６１に放電され、マトリクスアレイ１のカラムラインに印加された電圧を平均化する。例えば、正の電圧の最高値を＋６Ｖに設定し、負の電圧の最低値を−６Ｖに設定すると、中間バイアス電圧は約０Ｖになって、外部貯蔵キャパシタ６１は約０Ｖの電圧を有するようになる。
【００２０】
また、各ロー駆動区間の第２領域の間は、前記第２，第４，・・・，第３８４マルチプレクサ５７1，５７2，・・・，５７192は、選択されたローラインに連結されたピクセルのピクセルキャパシタを充電するため、第２，第４，・・・，第３８４単位利得増幅器５４1，５４2，・・・，５４192によりカラムラインに印加される駆動電圧を選択的に出力する。
【００２１】
例えば、前のロー駆動区間の間に、第１ローラインと第２カラムラインに連結されたピクセルのピクセルキャパシタ４１2が＋６Ｖに充電されているときには、現在のロー駆動区間ではピクセルは−６Ｖの電位で駆動されるが、前記第２カラムラインは、第１ロー駆動区間の第１領域の間に約０Ｖに放電されるため、前記第２単位利得増幅器５４1は、第２カラムラインを約０Ｖから−６Ｖに充電すればよい。
【００２２】
このようなＬＣＤのカラム駆動装置の動作を、図５及び図６を用いて詳細に説明すると次のようである。
第１時点ｔ０以前の第２カラムラインの電圧が＋６Ｖであるときに、第１時点ｔ０で、第１ローラインが選択され、制御信号ＳＥＬＥＣＴはハイレベルになると、第２カラムラインが第２マルチプレクサ５７1により外部貯蔵キャパシタ６１に連結されるため、図６（Ａ）に示すように、外部貯蔵キャパシタ６１の電圧は上昇を開始し、図６（Ｂ）に示すように、第２カラムラインの電圧は約０Ｖに低下する。
【００２３】
その後、第２時点ｔ１では、第１ロー駆動区間の第２領域が開始され、第１マルチプレクサ５７1は、第２単位利得増幅器５４1の出力信号を第２カラムラインに出力し、図６（Ｂ）に示すように、第２カラムラインの駆動電圧を約０Ｖから−６Ｖにさせる。
【００２４】
その後、第３時点ｔ２では、第２ロー駆動区間の第１領域が開始されて第２ローラインが選択され、制御信号ＳＥＬＥＣＴが再びハイレベルになって、第２マルチプレクサ５７1は第２カラムラインを外部貯蔵キャパシタ６１に連結させるが、第１ローラインと第２カラムラインに連結されたピクセルキャパシタ４１2は負の極性に充電されているため、第２カラムラインの電位は０Ｖに上昇する。
【００２５】
その後、第４時点ｔ３では、第２ロー駆動区間の第２領域が開始され、第２マルチプレクサ５７1は第２カラムラインに第２単位利得増幅器５４1を連結して第２カラムラインを０Ｖから＋６Ｖにさせる。
【００２６】
このような動作は、全てのローラインに対してロー駆動区間毎に繰り返して行われる。
【００２７】
【発明が解決しようとする課題】
然るに、このような従来のアクティブマトリクス方式によるＬＣＤにおいては、電荷の分配を行うとき、外部貯蔵キャパシタ６１を利用しているが、外部貯蔵キャパシタ６１の容量が大きいものを必要とするため、外部貯蔵キャパシタ６１を中間バイアス電圧に充電するときに時間がかかり、ＬＣＤに電源電圧を印加した後、所定時間の間は画質が鮮明にならないという不都合な点があった。
【００２８】
そこで、本発明は、このような従来の課題に鑑みてなされたもので、ピクセルの駆動時間及び消費電力を低減し得る液晶表示装置のカラム駆動装置及びその駆動方法を提供することを目的とする。
【００２９】
【課題を解決するための手段】
このような目的を達成するため、本発明の請求項１に係る液晶表示装置のカラム駆動装置においては、複数のローラインと複数のカラムラインとの交点に形成されたピクセルを複数備える液晶表示装置の前記カラムラインに所望の電圧を印加することにより前記ピクセルの電圧を制御して駆動するアクティブマトリクス方式を用いる液晶表示装置のカラム駆動装置において、前記カラムライン毎にカラム駆動手段を備え、前記カラム駆動手段は、外部からの入力データに応じたアナログ信号を出力するデータ処理部と、該データ処理部から出力されたアナログ信号を入力してピクセル駆動用アナログ電圧を生成する電圧生成部と、前記電圧生成部からのピクセル駆動用アナログ電圧を入力する入力端子と、外部からの第１及び第２先駆動電圧が夫々印加される第１及び第２先駆動端子と、共通ラインに連結される電荷分配端子と、を備え、第１及び第２制御信号の制御により、前記電荷分配端子を前記共通ラインに連結して、活性化したローラインに連結されたピクセルの電圧を中間バイアス電圧にした後に、前記ピクセルの前の電圧極性に応じて、第１先駆動端子及び第２先駆動端子のいずれか一方を選択的に前記カラムラインに連結して、前記ピクセルに前記連結した第１先駆動端子及び第２先駆動端子のいずれか一方に応じた先駆動電圧を印加して先駆動させ、前記入力端子からのピクセル駆動用アナログ電圧を前記ピクセルに印加して駆動する制御部と、を備えて構成されている。
【００３０】
請求項２に記載の発明では、前記第１先駆動電圧及び第２先駆動電圧は、前記ピクセル駆動用アナログ電圧印加後の前記ピクセルの正の極性電圧と前記中間バイアス電圧との間の任意の電圧、及び、前記ピクセル駆動用アナログ電圧印加後の前記ピクセルの負の極性電圧と前記中間バイアス電圧との間の任意の電圧のうちのいずれか一方及び他方である。
【００３１】
本発明に係る請求項３に記載の液晶表示装置のカラム駆動方法においては、複数のローラインと複数のカラムラインとの交点に形成されたピクセルを複数備える液晶表示装置の前記カラムラインに所望の電圧を印加することにより前記ピクセルの電圧を制御して駆動するアクティブマトリクス方式を用いる液晶表示装置のカラム駆動方法において、選択したカラムラインと活性化したローラインとの交点に連結する全てのピクセルを連結して各ピクセルの電荷分配を行い、各ピクセルの電圧を中間バイアス電圧とする第１過程と、前記選択したカラムラインに連結したピクセルに、前の電圧極性に応じて、外部からの第１先駆動電圧及び第２先駆動電圧のいずれか一方を印加して先駆動する第２過程と、前記先駆動したピクセルに、外部からの入力データに基づくピクセル駆動用アナログ電圧を印加して、前記ピクセルを駆動する第３過程と、を順次行うこととする。
【００３２】
請求項４に記載の発明では、前記各過程は、外部から入力する第１及び第２制御信号の論理レベルの組合せにより夫々制御される。請求項５に記載の発明では、前記第１先駆動電圧及び第２先駆動電圧は、前記ピクセル駆動用アナログ電圧印加後の前記ピクセルの正の極性電圧と前記中間バイアス電圧との間の任意の電圧、及び、前記ピクセル駆動用アナログ電圧印加後の前記ピクセルの負の極性電圧と前記中間バイアス電圧との間の任意の電圧のうちのいずれか一方及び他方である。
【００３３】
【発明の実施の形態】
以下、本発明の実施の形態に対し図面を用いて説明する。本実施形態に係るアクティブマトリクス方式を用いる液晶表示装置（以下、ＬＣＤと称す）のカラム駆動装置は、図３及び図４に示す従来のＬＣＤのカラム駆動装置と同様に、複数のローラインと複数のカラムラインとの交点に形成されたピクセルを複数備えるＬＣＤの、前記カラムラインに所望の電圧を印加することにより前記ピクセルの電圧を制御して駆動するものであり、カラムライン毎にカラム駆動手段としてのカラム駆動部を備えるものである。
【００３４】
前記カラム駆動部は、図１に示したように、外部からの入力データを処理してアナログ信号を出力するデータ処理部１００と、該データ処理部１００から出力されたアナログ信号を入力してピクセル駆動用アナログ電圧を生成する電圧生成部２００と、第１及び第２制御信号ＳＥＬ１，ＳＥＬ２により、前記電圧生成部２００からのピクセル駆動用アナログ電圧を入力する入力端子と、外部からの第１先駆動電圧としての正のバイアス電圧ＶＤＨが印加される第１先駆動端子である正の先駆動端子ＶＲＨ（positive predrive terminal）と、外部からの第２先駆動電圧としての負のバイアス電圧ＶＤＬが印加される負の先駆動端子ＶＲＬ（negative predrive terminal）と、共通ラインに連結される電荷分配端子ＳＨＲ（charge sharing terminal）とを備え、第１及び第２制御信号の制御により、前記電荷分配端子を前記共通ラインに連結して、活性化したローラインに連結されたピクセルの電圧を中間バイアス電圧にした後に、前記ピクセルの前の電圧極性に応じて、正の先駆動端子ＶＲＨ及び負の先駆動端子ＶＲＬのいずれか一方を選択的に前記カラムラインに連結して、前記ピクセルに前記連結した正の先駆動電圧ＶＤＨ及び負の先駆動電圧ＶＤＬのいずれか一方に応じた先駆動電圧を印加して先駆動させ、前記入力端子からのピクセル駆動用アナログ電圧を前記ピクセルに印加して駆動する制御部３００と、を備えて構成されている。
【００３５】
尚、前記カラム駆動部の構成は、図５に示す従来のＬＣＤのカラム駆動回路における１つのデータ処理部、１つの単位利得増幅器、及び１つのマルチプレクサから成る構成に対応するものである。
【００３６】
以下、このように構成されたＬＣＤのカラム駆動装置の動作を、図２を用いて説明する。
先ず、図２（Ａ）に示すように、第１制御信号ＳＥＬ１がハイレベルで、図２（Ｂ）に示すように、第２制御信号ＳＥＬ２がローレベルの区間、即ち、第１領域Ｔ１では、活性化したローラインと制御部３００により制御されるカラムラインとの交点に連結されたピクセルキャパシタの電荷分配を行う。
【００３７】
即ち、複数の制御部３００の電荷分配端子ＳＨＲが共通ラインに連結され、活性化したローラインと制御すべき複数のカラムラインとの交点に位置する全てのピクセルキャパシタが共通して連結される。これにより、例えば、図２（Ｃ）に示すような、奇数番目のカラムラインに連結されて正の極性電圧に充電されたピクセルキャパシタＣsoと、図２（Ｄ）に示すような、偶数番目のカラムラインに連結されて負の極性電圧に充電されたピクセルキャパシタＣseとが共通に接続されることとなり、各ピクセルキャパシタＣso，seの電圧は中間バイアス電圧ＶＳＨとなる。
【００３８】
次に、前記第１制御信号ＳＥＬ１がローレベルで、第２制御信号ＳＥＬ２がハイレベルの区間、即ち、第２領域Ｔ２になると、前記制御部３００の制御により、選択されたローラインに連結され、前のロー駆動区間では負の極性電圧に充電されたピクセルキャパシタ（図２（Ｄ）のＣse）を、ＭＯＳＴＦＴを介して正の先駆動端子ＶＲＨに連結して、外部からの正のバイアス電圧ＶＤＨを印加して先駆動させる。一方、前のロー駆動区間に正の極性電圧に充電されたピクセルキャパシタ（図２（Ｃ）のＣso）は、ＭＯＳＴＦＴを介して負の先駆動端子ＶＲＬに連結され、外部からの負のバイアス電圧ＶＤＬを印加して先駆動させる。
【００３９】
次に、第１及び第２制御信号ＳＥＬ１，ＳＥＬ２がハイレベルの区間、即ち、第３領域Ｔ３では、制御部３００の制御により、選択されたローラインにＭＯＳＴＦＴを介して連結するピクセルキャパシタに、電圧生成部２００の出力端子から出力される入力データに応じたピクセル駆動用アナログ電圧を印加して駆動させる。
【００４０】
このように、制御部３００は、第１及び第２制御信号ＳＥＬ１，ＳＥＬ２の論理レベルの組合せに応じて、対応するカラムラインに連結する各ピクセルの電圧を制御する。
【００４１】
そして、このような動作が、ローラインが順次選択されて繰り返し行われる。
尚、正のバイアス電圧ＶＤＨは、ピクセル駆動用アナログ電圧印加後のピクセルＣseの正の極性電圧と中間バイアス電圧ＶＳＨとの間の任意の電圧であり、負のバイアス電圧ＶＤＬは、ピクセル駆動用アナログ電圧印加後のピクセルＣsoの負の極性電圧と中間バイアス電圧ＶＳＨとの間の任意の電圧である。
【００４２】
このような本実施形態に係るアクティブマトリクス方式を用いるＬＣＤのカラム駆動装置の動作を詳しく説明すると次のようである。先ず、第１制御信号ＳＥＬ１がハイレベルで、第２制御信号ＳＥＬ２がローレベルの第１領域Ｔ１の間は、制御部３００の電荷分配端子ＳＨＲは共通ラインに連結されて、制御すべきカラムラインの全てのピクセルキャパシタは、前の表示周期の電圧状態に応じて充電又は放電されて、各ピクセルキャパシタの電圧は中間バイアス電圧ＶＳＨになる。
【００４３】
この場合、中間バイアス電圧ＶＳＨの値は、次式のようになる。
【００４４】
【数１】
0004758533.tif 000002
【００４５】
ここで、Ｐは、カラムラインの数を示し、Ｖｐｘｉは、ｉ番目のカラムラインに連結されたピクセルキャパシタの電圧を示す。
このように示される中間バイアス電圧ＶＳＨは、活性化されたローラインに連結された各カラムラインの各ピクセルキャパシタに印加された駆動電圧の平均値である。
【００４６】
その後、第１制御信号ＳＥＬ１がローレベルで、第２制御信号ＳＥＬ２がハイレベルの第２領域Ｔ２の間、制御部３００は、カラムラインを正の先駆動端子ＶＲＨ又は負の先駆動端子ＶＲＬに連結して、該カラムラインに連結されるピクセルキャパシタに、外部からの正のバイアス電圧ＶＤＨ又は負のバイアス電圧ＶＤＬを印加して先駆動させる。
【００４７】
この場合、前の表示周期において正の極性電圧で駆動されたピクセルは、今回の表示周期では負の極性電圧で駆動すべきであるため、カラムラインを負の先駆動端子ＶＲＬに連結して、前記ピクセルのピクセルキャパシタに負の外部バイアス電圧ＶＤＬを印加して先駆動させる。
【００４８】
また、前の表示周期において負の極性電圧で駆動されたピクセルは、今回の表示周期では正の極性電圧で駆動すべきであるため、カラムラインを正の先駆動端子ＶＲＨに連結して、前記ピクセルのピクセルキャパシタに正の外部バイアス電圧ＶＤＨを印加して先駆動させる。
【００４９】
その後、前記第１制御信号ＳＥＬ１及び第２制御信号ＳＥＬ２がハイレベルの第３領域Ｔ３になると、先駆動された全てのピクセルキャパシタには、各電圧生成部２００から入力されたデータに応じたピクセル駆動用アナログ電圧が印加されて駆動される。
【００５０】
このような動作は、ＬＣＤの全てのカラムラインに対して、ローライン毎に繰り返し行われる。
尚、本発明における複数のカラム駆動部は、全てのカラムラインのピクセルを同時に駆動制御するように動作するものであってもよいし、所望数のカラムライン毎にピクセルを駆動制御するように動作するものであってもよい。
【００５１】
【発明の効果】
以上説明したように、本発明に係るアクティブマトリクス方式を用いる液晶表示装置のカラム駆動装置及びカラム駆動方法においては、外部のバイアス電圧を利用して、所望の駆動電圧に近接する電圧で各ピクセルを先駆動させた後、入力データに従って駆動させるため、カラム駆動装置の駆動負荷及び消費電力を低減し、カラム駆動装置を構成する半導体チップの大きさを低減し得るという効果がある。また、ピクセルの駆動時間を短縮できるので、短時間で画像表示でき、画質を改善し得るという効果がある。
【図面の簡単な説明】
【図１】本発明に係る液晶表示装置のカラム駆動装置の一実施形態を示した回路図である。
【図２】本発明に係る液晶表示装置のカラム駆動装置の動作タイミング図である。
【図３】従来の液晶表示装置を示したブロック図である。
【図４】従来の液晶表示装置のピクセルを示した回路図である。
【図５】従来の液晶表示装置のカラム駆動装置を示した回路図である。
【図６】従来の液晶表示装置のカラム駆動装置の動作タイミング図である。
【符号の説明】
１００：データ処理部
２００：電圧生成部
３００：制御部
【図１】
0004758533.tif 000003
【図２】
0004758533.tif 000004
【図３】
0004758533.tif 000005
【図４】
0004758533.tif 000006
【図５】
0004758533.tif 000007
【図６】
0004758533.tif 000008